【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
ユーザ機器によるワイヤレス通信のための方法であって、
(i)第1の時間において前記ユーザ機器によるアップリンク上の通信に対する全体的電力制限、(ii)第1の無線アクセス技術と関連付けられたアップリンク上の通信に対する第1の電力制限、および(iii)第2の無線アクセス技術と関連付けられたアップリンク上の通信に対する第2の電力制限を示す第1の情報を前記ユーザ機器において受信するステップであって、前記第1の情報が少なくとも1つの基地局によって提供される、ステップと、
前記第1の時間において、前記第1の無線アクセス技術と関連付けられた前記アップリンク上と前記第2の無線アクセス技術と関連付けられた前記アップリンク上の両方で通信するために、前記ユーザ機器のスケジューリングを示す第2の情報を前記ユーザ機器において受信するステップと、
前記第1の電力制限と前記第2の電力制限の合計が、前記全体的電力制限より大きいかどうかを決定するステップと、
前記第1の時間の間に前記第2の電力制限に基づいて、前記第2の無線アクセス技術と関連付けられた前記アップリンク上で前記ユーザ機器によって通信するステップと、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の前記送信をドロップするステップとを含む、方法。
【請求項２】
前記合計が前記全体的電力制限より大きくないときに、前記第1の電力制限に基づいて、前記第1の無線アクセス技術と関連付けられた前記アップリンク上で前記ユーザ機器によって通信するステップをさらに含む、請求項1に記載の方法。
【請求項３】
前記第1の無線アクセス技術がニューラジオ(NR)を含み、前記第2の無線アクセス技術がロングタームエボリューション(LTE)を含む、請求項1に記載の方法。
【請求項４】
前記第2の無線アクセス技術と関連付けられた前記アップリンク上で前記ユーザ機器によって通信するステップが、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信するステップを含む、請求項1に記載の方法。
【請求項５】
前記第2の無線アクセス技術と関連付けられた前記アップリンク上で前記ユーザ機器によって通信するステップが、前記第2の無線アクセス技術をサービスするセルの時分割複信(TDD)アップリンク-ダウンリンク(DL-UL)構成に基づいて、アップリンク(UL)構成を利用して通信するステップを含む、請求項1に記載の方法。
【請求項６】
ユーザ機器であって、
(i)第1の時間において前記ユーザ機器によるアップリンク上の通信に対する全体的電力制限、(ii)第1の無線アクセス技術と関連付けられたアップリンク上の通信に対する第1の電力制限、および(iii)第2の無線アクセス技術と関連付けられたアップリンク上の通信に対する第2の電力制限を示す第1の情報を受信するための手段であって、前記第1の情報が少なくとも1つの基地局によって提供される、手段と、
前記第1の時間において、前記第1の無線アクセス技術と関連付けられた前記アップリンク上と前記第2の無線アクセス技術と関連付けられた前記アップリンク上の両方で通信するために、前記ユーザ機器のスケジューリングを示す第2の情報を受信するための手段と、
前記第1の電力制限と前記第2の電力制限の合計が、前記全体的電力制限より大きいかどうかを決定するための手段と、
前記第1の時間の間に前記第2の電力制限に基づいて、前記第2の無線アクセス技術と関連付けられた前記アップリンク上で通信するための手段と、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の前記送信をドロップするための手段とを含む、ユーザ機器。
【請求項７】
前記合計が前記全体的電力制限より大きくないときに、前記第1の電力制限に基づいて、前記第1の無線アクセス技術と関連付けられた前記アップリンク上で通信するための手段をさらに含む、請求項6に記載のユーザ機器。
【請求項８】
前記第1の無線アクセス技術がニューラジオ(NR)を含み、前記第2の無線アクセス技術がロングタームエボリューション(LTE)を含む、請求項6に記載のユーザ機器。
【請求項９】
前記第2の無線アクセス技術と関連付けられた前記アップリンク上で通信するための手段が、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信するための手段を含む、請求項6に記載のユーザ機器。
【請求項１０】
前記第2の無線アクセス技術と関連付けられた前記アップリンク上で通信するための手段が、前記第2の無線アクセス技術をサービスするセルの時分割複信(TDD)アップリンク-ダウンリンク(DL-UL)構成に基づいて、アップリンク(UL)構成を利用して通信するための手段を含む、請求項6に記載のユーザ機器。
【請求項１１】
命令を記憶する非一時的コンピュータ可読記憶媒体であって、前記命令が、ユーザ機器(UE)によって実行されるとき、前記UEにワイヤレス通信のための方法を実行させ、前記方法が、
(i)第1の時間において前記ユーザ機器によるアップリンク上の通信に対する全体的電力制限、(ii)第1の無線アクセス技術と関連付けられたアップリンク上の通信に対する第1の電力制限、および(iii)第2の無線アクセス技術と関連付けられたアップリンク上の通信に対する第2の電力制限を示す第1の情報を前記ユーザ機器において受信するステップであって、前記第1の情報が少なくとも1つの基地局によって提供される、ステップと、
前記第1の時間において、前記第1の無線アクセス技術と関連付けられた前記アップリンク上と前記第2の無線アクセス技術と関連付けられた前記アップリンク上の両方で通信するために、前記ユーザ機器のスケジューリングを示す第2の情報を前記ユーザ機器において受信するステップと、
前記第1の電力制限と前記第2の電力制限の合計が、前記全体的電力制限より大きいかどうかを決定するステップと、
前記第1の時間の間に前記第2の電力制限に基づいて、前記第2の無線アクセス技術と関連付けられた前記アップリンク上で前記ユーザ機器によって通信するステップと、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の前記送信をドロップするステップとを含む、非一時的コンピュータ可読記憶媒体。
【請求項１２】
前記方法が、前記合計が前記全体的電力制限より大きくないときに、前記第1の電力制限に基づいて、前記第1の無線アクセス技術と関連付けられた前記アップリンク上で前記ユーザ機器によって通信するステップをさらに含む、請求項11に記載の非一時的コンピュータ可読記憶媒体。
【請求項１３】
前記方法は、前記ユーザ機器によって通信するステップをさらに含み、前記第1の無線アクセス技術がニューラジオ(NR)を含み、前記第2の無線アクセス技術がロングタームエボリューション(LTE)を含む、請求項11に記載の非一時的コンピュータ可読記憶媒体。
【請求項１４】
前記方法は、前記第2の無線アクセス技術と関連付けられた前記アップリンク上で前記ユーザ機器によって通信するステップをさらに含み、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信するステップをさらに含む、請求項11に記載の非一時的コンピュータ可読記憶媒体。
【請求項１５】
前記方法は、前記第2の無線アクセス技術と関連付けられた前記アップリンク上で前記ユーザ機器によって通信するステップをさらに含み、前記第2の無線アクセス技術をサービスするセルの時分割複信(TDD)アップリンク-ダウンリンク(DL-UL)構成に基づいて、アップリンク(UL)構成を利用して通信するステップをさらに含む、請求項11に記載の非一時的コンピュータ可読記憶媒体。